(57)【要約】【課題】表示パネルユニットのより安定的な支持が可能となると共に表示パネルユニットをより多くの姿勢にさせることができるようにした「表示パネル装置」を提供することである。【解決手段】表示パネルユニット１０の一端部をその端部に沿った軸に対して回動自在に支持するパネル支持部材２０と、パネル支持部材２０を表示パネルユニット１０の前記回動の軸と前後方向とに直交する軸に対して回動自在に支持しつつパネル支持部材２０を前後方向に移動させるメイン移動機構３０と、表示パネルユニット１０の裏面のパネル支持部材２０の前記回動の軸を挟んだ両側端部にその端部に沿った方向に摺動自在にピボット結合する第１の軸体６０ａ及び第２の軸体６０ｂと、第１の軸体６０ａを前後方向に移動させる第１のサブ移動機構５０ａと、第２の軸体６０ｂを前後方向に移動させる第２のサブ移動機構５０ａとを有する構成となる。【選択図】図１
2007261393.tif 000002
【特許請求の範囲】
【請求項１】
機器本体の前側に配置される表示パネルユニットと、
該表示パネルユニットの一端部をその端部に沿った軸に対して回動自在に支持するパネル支持部材と、
該パネル支持部材を前記表示パネルユニットの前記回動の軸と前後方向とに直交する軸に対して回動自在に支持しつつ前記パネル支持部材を前後方向に移動させるメイン移動機構と、
前記表示パネルユニットの裏面の前記パネル支持部材の前記回動の軸を挟んだ両側端部にその端部に沿った方向に摺動自在にピボット結合する第１の軸体及び第２の軸体と、
前記第１の軸体を前後方向に移動させる第１のサブ移動機構と、
前記第２の軸体を前後方向に移動させる第２のサブ移動機構とを有することを特徴とする表示パネル装置。
【請求項２】
前記表示パネルユニットは、その裏面の前記パネル支持部材の前記回動の軸を挟んだ両側端部のそれぞれに設けられ、その端部に沿って延びるピボット受け溝の形成されたガイド部材を有し、
前記第１の軸体及び前記第２の軸体のそれぞれは、先端部にボール体が形成され、該ボール体が前記ガイド部材のピボット受け溝に摺動自在に嵌合していることを特徴とする請求項１記載の表示パネル装置。
【請求項３】
前記ガイド部材に形成されたピボット受け溝は、前記ボール体に対応した形状の摺動面を有すると共に開放スリット部を介して外方に開放する構造となり、
前記開放スリット部は、前記ピボット受け溝から外方に向けてテーパ状に広がっており、
前記第1の軸体及び第２の軸体のいずれかが前記開放スリット部を通ってその先端部に形成された前記ボール体が前記ピボット受け溝に嵌り込んでいることを特徴とする請求項２記載の表示パネル装置。
【請求項４】
前記ガイド部材は弾性体にて形成されたことを特徴とする請求項２及び３記載の表示パネル装置。
【請求項５】
前記メイン移動機構は、前後動可能となるメインスライド部材と、
該メインスライド部材の先端部に形成され、前記パネル支持部材を回動自在に支持する支持プレートと、
前記メインスライド部材を前後方向に移動させる駆動機構とを有することを特徴とする請求項１乃至４記載の表示パネル装置。
【請求項６】
前記第１のサブ移動機構及び前記第２のサブ移動機構のそれぞれは、第１の軸体及び第２の軸体のいずれかを先端部に固定支持するサブスライド部材と、
該サブスライド部材を前後方向に移動させる駆動機構とを有することを特徴とする請求項１乃至５のいずれかに記載の表示パネル装置。
【発明の詳細な説明】
【技術分野】
【０００１】
本発明は、車載オーディオ装置や車載ナビゲーション装置等に用いられる表示パネル装置に関する。
【背景技術】
【０００２】
従来、表示パネルをパン動作及びチルト動作させることができる表示パネル装置が提案されている（例えば、特許文献１参照）。この表示パネル装置は、例えば、車載オーディオ装置に用いられるものであって、機器本体（筐体）の前後方向に移動可能となる一対のスライダそれぞれの先端部が表示パネルの裏面の下部にピボット結合（角度可変）し、一端部が機器本体内に回動自在に取り付けられた支持アームの他端部が表示パネルの裏面の上部をピボット支持（角度可変）した構造となっている。
【０００３】
このような表示パネル装置では、一対のスライダを個別に前後動させることにより、支持アームの先端部にてピボット支持された表示パネルの上方向き角度を変えたり（チルト動作）、その左右向き角度を変えたり（パン動作）することができる。
【特許文献１】特開２００３−６９９２０号公報
【発明の開示】
【発明が解決しようとする課題】
【０００４】
しかしながら、前述した従来の表示パネル装置では、表示パネルを支持アームの先端の一点でピボット支持し、表示パネルの他の２点をスライダによって押し、引きすることによって表示パネルの上向き角度及び左右向き角度を変えるようにしていることから、表示パネルの支持が不安定になり易く、そのため特に重量の大きい表示パネルは外部振動の影響を受け易くなってしまう。この点で、従来の表示パネル装置を振動環境の良くない車両に搭載することは好ましいものではない。
【０００５】
また、従来の表示パネル装置では、一端が機器本体（筐体）に固定された支持アームの他端部の一点でピボット支持された表示パネルが他の２点に対する押し、引きによって表示パネルの姿勢が調整されるようになっているので、許容される表示パネルの姿勢や位置が限られたものであった。例えば、表示パネルの２点に対する押し、引きによって、常に支持アームによるピボット支持点に対して何らかのトルクが生ずるので、表示パネルを一定の姿勢に維持させた状態で前後動させることができない。また、例えば、表示パネルをその表示面が下方に向くように傾ける（下方チルト）ことができない。
【０００６】
本発明は、このような従来の問題を解決するためになされたもので、表示パネルユニットのより安定的な支持が可能となると共に表示パネルユニットをより多くの姿勢にさせることができるようにした表示パネル装置を提供するものである。
【課題を解決するための手段】
【０００７】
本発明に係る表示パネル装置は、機器本体の前側に配置される表示パネルユニットと、該表示パネルユニットの一端部をその端部に沿った軸に対して回動自在に支持するパネル支持部材と、該パネル支持部材を前記表示パネルユニットの前記回動の軸と前後方向とに直交する軸に対して回動自在に支持しつつ前記パネル支持部材を前後方向に移動させるメイン移動機構と、前記表示パネルユニットの裏面の前記パネル支持部材の前記回動の軸を挟んだ両側端部にその端部に沿った方向に摺動自在にピボット結合する第１の軸体及び第２の軸体と、前記第１の軸体を前後方向に移動させる第１のサブ移動機構と、前記第２の軸体を前後方向に移動させる第２のサブ移動機構とを有する構成となる。
【０００８】
このような構成により、表示パネルユニットがパネル支持部材によってその一端部に沿った軸に対して回動自在に支持されるので、ピボット支持のような点支持ではなく、表示パネルユニットの軸支持が可能となる。そして、メイン移動機構、第１のサブ移動機構及び第２のサブ移動機構によってパネル支持部材、第１の軸体及び第２の軸体を均等に前後方向に移動させれば、表示パネルユニットが姿勢を維持しつつ前後方向に移動するようになる。パネル支持部材を第１の軸体及び第２の軸体に対して相対的に前方に移動させれば、前記パネル支持部材にて回動自在に支持される表示パネルユニットがその一端部に沿った軸を中心にして後方側に傾くように回動する。また、パネル支持部材を第１の軸体及び第２の軸体に対して相対的に後方に移動させれば、前記パネル支持部材にて回動自在に支持される表示パネルユニットがその一端部に沿った軸を中心にして前方側に傾くように回動する。
【０００９】
更に、第１のサブ移動機構によって第１の軸体を前方に移動させると共に第２のサブ移動機構によって第２の軸体を後方に移動させると、第１の軸体の表示パネルユニットの裏面に対する押し動作及び第２の軸体の表示パネルユニットの裏面に対する引き動作によって、パネル支持部材と共に前記表示パネルユニットが回動する。一方、第１のサブ移動機構によって第１の軸体を後方に移動させると共に第２のサブ移動機構によって第２の軸体を前方に移動させると、第１の軸体の表示パネルユニットの裏面に対する引き動作及び第２の軸体の表示パネルユニットに対する押し動作によって、パネル支持部材と共に前記表示パネルが前述の場合と逆方向に回動する。
【００１０】
また、本発明に係る表示パネル装置において、前記表示パネルユニットは、その裏面の前記パネル支持部材の前記回動の軸を挟んだ両側端部のそれぞれに設けられ、その端部に沿って延びるピボット受け溝の形成されたガイド部材を有し、前記第１の軸体及び前記第２の軸体のそれぞれは、先端部にボール体が形成され、該ボール体が前記ガイド部材のピボット受け溝に摺動自在に嵌合している構成とすることができる。
【００１１】
このような構成により、表示パネルユニットの裏面のパネル支持部材の回動の軸を挟んだ両側端部にその端部に沿った方向に摺動自在にピボット結合する第１の軸体及び第２の軸体を具体的に実現することができるようになる。
【００１２】
また、本発明に係る表示パネル装置において、前記ガイド部材に形成されたピボット受け溝は、前記ボール体に対応した形状の摺動面を有すると共に開放スリット部を介して外方に開放する構造となり、前記開放スリット部は、前記ピボット受け溝から外方に向けてテーパ状に広がっており、前記第1の軸体及び第２の軸体のいずれかが前記開放スリット部を通ってその先端部に形成された前記ボール体が前記ピボット受け溝に嵌り込んでいる構成とすることができる。
【００１３】
このような構成により、第1の軸体及び第２の軸体のそれぞれが、ボール体の芯部（中心）を回動の中心とし、ピボット受け溝に交差する方向にも揺動自在に支持されるようになる。ボール体はピボット受け溝から外れないように支持されつつ、そのピボット動作（表示パネルユニットのパン動作）時においても、その軸体と開放スリット部とが何ら干渉することがない。
【００１４】
更に、本発明に係る表示パネル装置において、前記ガイド部材は弾性体にて形成された構成とすることができる。
【００１５】
このような構成により、前記ボール体をガイド部材のピボット受け溝に極めてきつく嵌合させることが可能となり、その結果、ボール体がピボット受け溝内でガタツキの極めて少ない状態にて摺動可能となる。
【００１６】
なお、ガイド部材を形成する弾性体として、シリコン樹脂やポリアセタール樹脂（ＰＯＭ）等の潤滑性を有する合成樹脂を用いることができる。
【００１７】
また、本発明に係る表示パネル装置において、前記メイン移動機構は、前後動可能となるメインスライド部材と、該メインスライド部材の先端部に形成され、前記パネル支持部材を回動自在に支持する支持プレートと、前記メインスライド部材を前後方向に移動させる駆動機構とを有する構成とすることができる。
【００１８】
このような構成により、パネル支持部材を表示パネルユニットの回動の軸と前後方向とに直交する軸に対して回動自在に支持しつつ前記パネル支持部材を前後方向に移動させるメイン移動機構を具体的に実現することができるようになる。
【００１９】
更に、本発明に係る表示パネル装置において、前記第１のサブ移動機構及び前記第２のサブ移動機構のそれぞれは、第１の軸体及び第２の軸体のいずれかを先端部に固定支持するサブスライド部材と、該サブスライド部材を前後方向に移動させる駆動機構とを有する構成とすることができる。
【００２０】
このような構成により、第１の軸体を前後方向に移動させる第１のサブ移動機構及び第２の軸体を前後方向に移動させる第２のサブ移動機構を具体的に実現することができるようになる。
【発明の効果】
【００２１】
本発明に係る表示パネル装置によれば、表示パネルユニットが、ピボット支持ではなく、その一端部においてパネル支持部材に軸支持されて、その一端部に沿った軸を中心として前後方向に傾き得るようになり、また、前記パネル支持部材と共に左右方向に回動し得るようになるので、表示パネルユニットのより安定的な支持が可能となると共に表示パネルユニットをより多くの姿勢にさせることができるようになる。
【発明を実施するための最良の形態】
【００２２】
以下、本発明の実施の形態について、図面を用いて説明する。
【００２３】
本発明の実施の一形態に係る表示パネル装置は、図１に示すように構成される。この表示パネル装置は、車載用のオーディオ装置やナビゲーション装置に用いられる。
【００２４】
図１において、この表示パネル装置は、機器本体１００（図３参照）の前側に配置されるＬＣＤパネル等を備えた表示パネルユニット１０を有し、表示パネルユニット１０の裏面の左右方向両端部にはその端部に沿って上下方向に延びるガイド部材１１ａ、１１ｂが固定されている。詳細は後述するが、ガイド部材１１ａ（ガイド部材１１ｂ）には、縦方向に延びるピボット受け溝１１０ａ（１１０ｂ）が形成されている。また、表示パネルユニット１０の裏面における両ガイド部材１１ａ、１１ｂの間の部分にはカバー部１０ａが形成されており、そのカバー部１０ａの両側面の下部には左右方向に突出する横支持軸１２ａ、１２ｂが形成されている。
【００２５】
パネル支持ブラケット２０は、本体プレート部２１の両側縁から支持プレート部２３ａ、２３ｂが立ち上がった構造となっている。本体プレート部２１の中央部には孔２２が形成されると共に、各支持プレート２３ａ、２３ｂの先端部分に孔２４ａ、２４ｂが形成されている。表示パネルユニット１０の横支持軸１２ａ、１２ｂの先端部がパネル支持ブラケット２０の各支持プレート部２３ａ、２３ｂに形成された孔２４ａ、２４ｂに嵌合するように表示パネルユニット１０がパネル支持ブラケット２０にセットされる。そして、取り付けネジ２７ａ、２７ｂが各横支持軸１２ａ、１２ｂの先端部にねじ込まれて各横支持軸１２ａ、１２ｂの孔２４ａ、２４ｂからの抜け止めがなされる。これにより、表示パネルユニット１０は、横支持軸１２ａ、１２ｂを中心に回動自在となるようにパネル支持ブラケット２０に取り付けられる。即ち、表示パネルユニット１０の下端部がその下端部に沿った軸Ａｙ（横支持軸１２ａ、１２ｂに対応）に対して回動自在となるようにパネル支持ブラケット２０に支持される。
【００２６】
表示パネル装置は、更に、メイン移動機構３０、第１のサブ移動機構５０ａ及び第２のサブ移動機構５０ｂを有している。メイン移動機構３０は、前後移動可能となるように機器本体１００（図３参照）に設けられたメインスライドプレート３１（メインスライド部材）を有している。メインスライドプレート３１の先端部には支持プレート３２が形成され略Ｔ字型となっており、その支持プレート３２の略中央部に縦支持軸４０が形成されている。前述したパネル支持ブラケット２０は、縦支持軸４０が孔２２に嵌め込まれるように支持プレート３２上にセットされ、パネル支持ブラケット２０の本体プレート部２１から突出する縦支持軸４０の先端部にワッシャ２５が嵌め込まれると共に取り付けネジ２６が縦支持軸４０の先端にねじ込まれる。これにより、表示パネルユニット１０の下端部を回動自在に軸（Ａｙ）支持するパネル支持ブラケット２０が、表示パネルユニット１０の前記回動の軸Ａｙと前後方向Ａｘとの双方に直交する軸Ａｚ（縦支持軸４０に対応）に対して回動自在となるようにメインスライドプレート３１の支持プレート３２に支持されるようになる。
【００２７】
メインスライドプレート３１にはその長さ方向に延びるように開孔するガイドスリット３３が形成されると共にその側縁に沿ってラックギア３４が形成されている。ガイドスリット３３には直線上に配置される２つのガイドピン３５、３６が嵌り込んでおり、ガイドスリット３３が２つのガイドピン３５、３６にガイドされつつメインスライドプレート３１が前後動可能となっている。メインスライドプレート３１の近傍には駆動モータ３７が設けられ、駆動モータ３７の回転軸に装着されたウォームギア３９がギア３８に噛合し、ギア３８と同軸となるギア（図示略）がラックギア３４に噛合している。これにより、駆動モータ３７の正逆の回転力がウォームギア３９、ギア３８等を介してラックギア３４に伝達して、メインスライドプレート３１が前後移動する。
【００２８】
機器本体１００には、更に、第１のサブ移動機構５０ａ及び第２のサブ移動機構５０ｂが前述したメイン移動機構３０を挟むように設けられている。第１のサブ移動機構５０ａ（第２のサブ移動機構５０ｂ）は、メインスライドプレート３１と平行となって前後移動が可能となるスライドプレート５１ａ（５１ｂ）（サブスライド部材）を有し、スライドプレート５１ａ（５１ｂ）の先端に垂直に立上がるブラケット部５２ａ（５２ｂ）が形成されている。また、各スライドプレート５１ａ（５１ｂ）にはその長さ方向に延びるようにガイドスリット５３ａ（５３ｂ）が形成されると共にその側縁に沿ってラックギア５４ａ（５４ｂ）が形成されている。各ガイドスリット５３ａ（５３ｂ）には、直線上に配置される２つのガイドピン５５ａ、５６ａ（５５ｂ、５６ｂ）が嵌り込んでおり、ガイドスリット５３ａ（５３ｂ）が２つのガイドピン５５ａ、５６ａ（５５ｂ、５６ｂ）にガイドされつつ各ガイドプレート５１ａ（５１ｂ）が前後移動可能となっている。各スライドプレート５１ａ（５１ｂ）の近傍には駆動モータ５７ａ（５７ｂ）が設けられ、駆動モータ５７ａ（５７ｂ）の回転軸に装着されたウォームギア５９ａ（５９ｂ）がギア５８ａ（５８ｂ）に噛合し、ギア５８ａ（５８ｂ）と同軸となるギア（図示略）がラックギア５４ａ（５４ｂ）に噛合している。これにより、各駆動モータ５７ａ（５７ｂ）の正逆の回転力がウォームギア５９ａ（５９ｂ）、ギア５８ａ（５８ｂ）等を介してラックギア５４ａ（５４ｂ）に伝達して、各スライドプレート５１ａ（５１ｂ）が前後移動する。
【００２９】
第１のサブ移動機構５０ａにおけるスライドプレート５１ａのブラケット部５２ａに第１の軸体６０ａが装着されると共に、第２のサブ移動機構５０ｂにおけるスライドプレート５１ｂのブラケット部５２ｂに第２の軸体６０ｂが装着されている。第１の軸体６０ａ（第２の軸体６０ｂ）は、取付けプレート６１ａ（６１ｂ）と、その取付けプレート６１ａ（６１ｂ）の一側端面から突出する軸部６２ａ（６２ｂ）と、軸部６２ａ（６２ｂ）の先端に固定されたボール体６３ａ（６３ｂ）とを備えた構造となっている。そして、取付けプレート６１ａ（６１ｂ）がスライドプレート５１ａ（５１ｂ）のブラケット部５２ａ（５２ｂ）にネジ止め等によって固定され、軸部６２ａ（６２ｂ）の先端に固定されたボール体６３ａ（６３ｂ）がスライドプレート５１ａ（５１ｂ）の先端から更に前方に突出するようになっている。
【００３０】
表示パネルユニット１０を回動自在（回動軸Ａｙ）に支持したパネル支持ブラケット２０がメインスライドプレート３１の支持プレート３２に回動自在（回動軸Ａｚ）に支持された状態で、第１の軸体６０ａのボール体６３ａが表示パネルユニット１０の裏面に設けられた一方のガイド部材１１ａのピボット受け溝１１１ａに摺動自在に嵌め込まれ、第２の軸体６０ｂのボール体６０ｂが表示パネルユニット１０の裏面に設けられた他方のガイド部材１１ｂのピボット受け溝１１１ｂに摺動自在に嵌め込まれている。即ち、第１の軸体６０ａのボール体６３ａと第２の軸体６０ｂのボール体６３ｂとが、表示パネルユニット１０のパネル支持ブラケット３０の回動の軸（Ａｚ）を挟んだ両側端部に設けられたガイド部材１１ａ、１１ｂに摺動自在にピボット結合したものとなっている。
【００３１】
ガイド部材１１ａ（ガイド部材１１ｂ）は、図２（ａ）に示すように、略直方体形状のブロック内に内面が球面状となって縦方向に延びるピボット受け溝１１０ａ（１１０ｂ）が形成され、そのピボット受け溝１１０ａ（１１０ｂ）が開放スリット部１１１ａ（１１１ｂ）を介して外方に開放するような構造となっている。開放スリット部１１１ａ（１１１ｂ）は、ピボット受け溝１１０ａ（１１０ｂ）から外方に向けてテーパ状に広がっている（図２（ｂ）参照）。そして、図２（ｂ）、（ｃ）に示すように、第１の軸体６０ａ（第２の軸体６０ｂ）の取付けプレート６１ａ（６１ｂ）から延びる軸部６２ａ（６２）が開放スリット部１１１ａ（１１１ｂ）に進入してその先端のボール体６３ａ（６３ｂ）がピボット受け溝１１０ａ（１１０ｂ）に嵌っている。これにより、第１の軸体６０ａ（第２の軸体６０ｂ）は、ボール体６３ａ（６３ｂ）を支点として図２（ｂ）に示すＡ−Ａ´方向の動き成分及び図２（ｃ）に示すＢ−Ｂ´方向の動き成分を有するピボット動作が可能となり、また、ボール体６３ａ（６３ｂ）がピボット受け溝１１０ａ（１１０ｂ）内で摺動（図２（ｃ）に示すＣ−Ｃ´方向の動き）自在となる。
【００３２】
なお、ガイド部材１１ａ（１１ｂ）とボール体６３ａ（６３ｂ）とは、互いに金属であってもよいが、ガイド部材１１ａ（１１ｂ）はシリコン、ポリアセタール樹脂（ＰＯＭ）等の潤滑性を有する弾性体であってもよい。このようにガイド部材１１ａ（１１ｂ）を弾性体にて形成する場合、ボール体６３ａ（６３ｂ）をそのピボット受け溝１１０ａ（１１０ｂ）に極めてきつく嵌合させることが可能となり（例えば、ボール体６３ａ（６３ｂ）の直径よりピボット受け溝１１０ａ（１１０ｂ）の内径を僅かに小さくすることが可能）、その結果、ボール体６３ａ（６３ｂ）がピボット受け溝１１０ａ（１１０ｂ）内でガタツキの極めて少ない状態にて摺動可能となる。また、ボール体６３ａ（６３ｂ）のピボット受け溝１１０ａ（１１０ｂ）内でのピボット動作（後述する表示パネルユニット１０のパン動作）によって軸部６２ａ（６２ｂ）が開放スリット１１１ａ（１１１ｂ）の壁面にあたったとしてもそのあたり音は極めて小さいものとなる（異音発生の防止）。
【００３３】
パネル支持ブラケット２０に横支持軸１２ａ、１２ｂ（軸Ａｙ）を中心に回動自在に支持された表示パネルユニット１０は、図３に示すように、機器本体１００の前側に配置され、パネル支持ブラケット２０を前後移動させるメイン移動機構３０、表示パネルユニット１０に固定されたガイド部材１１ａ、１１ｂに摺動可能にピボット結合する第１の軸体６０ａ及び第２の軸体６０ｂを前後移動させる第１のサブ移動機構５０ａ及び第２のサブ移動機構５０ｂが機器本体１００の底板に設けられる。
【００３４】
表示パネルユニット１０を駆動させる制御系は、例えば、図４に示すように構成されている。図４において、制御回路２００は、利用者によって操作される前後操作キー２１０及びパン・チルト操作キー２２０からの操作信号に基づいてメイン移動機構３０の駆動モータ３７、第１のサブ移動機構５０ａの駆動モータ５７ａ及び第２のサブ移動機構５０ｂの駆動モータ５７ｂの駆動制御を行なう。なお、この制御回路２００は回路基板（図示略）上に構成され、その回路基板は機器本体１００の内部に設置される。また、前後操作キー２１０及びパン・チルト操作キー２２０は、表示パネルユニット１０の前面に設けられるものであっても、リモコン操作ユニットに設けられるものであってもよい。リモコン操作ユニットに設けられる場合、前後操作キー２１０及び回動操作キー２２０からの操作信号は無線によって制御回路２００に提供される。
【００３５】
前後操作キー２１０は、前移動キー２１１及び後移動キー２１２を有する。前移動キー２１１が操作されると表示パネルユニット１０を前進移動させるための制御信号が出力され、後移動キー２１２が操作されると表示パネルユニット１０を後退移動させるための制御信号が出力される。パン・チルト操作キー２２０は、上チルトキー２２１、下チルトキー２２３、右パンキー２２２及び左パンキー２２４を有している。上チルトキー２２１が操作されると、表示パネルユニット１０の表示面を上方に向かせるための制御信号が出力され、下チルトキー２２３が操作されると、表示パネルユニット１０の表示画面を下方に向かせるための制御信号が出力され、右パンキー２２２が操作されると、表示パネルユニット１０を時計方向に回動させてその表示面を利用者から見て左に向かせるための制御信号が出力され、左パンキー２２４が操作されると、表示パネルユニット１０を反時計方向に回動させてその表示画面を利用者から見て右に向かせるための制御信号が出力される。
【００３６】
前述したような表示パネル装置では、次にようにして表示パネルユニット１０を駆動させることができる。
【００３７】
例えば、前後操作キー２１０の前移動キー２１１が操作されると、制御回路２００は、前移動キー２１１からの制御信号に基づいて、メイン移動機構３０のメインスライドプレート３１、第１のサブ移動機構５０ａ及び第２のサブ移動機構５０ｂのスライドプレート５１ａ、５１ｂを同時に前進させる（相対動なし）ように駆動モータ３７、５７ａ、５７ｂを駆動させる。このメインスライドプレート３１及び各スライドプレート５１ａ、５１ｂの同期した前進動により、表示パネルユニット１０が姿勢（例えば、直立姿勢）を維持した状態で前進移動する。一方、後移動キー２１２が操作されると、制御回路２００は、後移動キー２１２からの制御信号に基づいて、メインスライドプレート３１及び各スライドテーブル５１ａ、５１ｂを同時に後退させる（相対動なし）ように駆動モータ３７、５７ａ、５７ｂを駆動させる。このメインスライドプレート３１及び各スライドプレート５１ａ、５１ｂの同期した後退動により、表示パネルユニット１０が姿勢を維持した状態で後退移動する。
【００３８】
また、パン・チルト操作キー２２０の左パンキー２２４が操作されると、制御回路２００は、左パンキー２２４からの制御信号に基づいて、メイン移動機構３０のメインスライドプレート３１を停止させた状態で、第１のサブ移動機構５０ａのスライドプレート５１ａを後退させ、第２のサブ移動機構５０ｂのスライドプレート５１ｂを前進させるように駆動モータ５７ａ、５７ｂを駆動させる（駆動モータ３７は停止状態）。すると、表示パネルユニット１０の第１の軸体６０ａのボール体６３ａがピボット結合したガイド部材１１ａの固定された側の端部が後方に引かれると共に、表示パネルユニット１０の第２の軸体６０ｂのボール体６３ｂがピボット結合したガイド部材１１ｂの固定された側の端部が前方に押し出される。これにより、図５（ａ）に示すように、表示パネルユニット１０の表示画面が利用者から見て右（Ｒ）側に向くようにパネル支持ブラケット２０が縦支持軸４０（Ａｚ）を中心にして反時計方向に回動する（左パン動作）。
【００３９】
一方、右パンキー２２２が操作されると、制御回路２００は、右パンキー２２２からの制御信号に基づいて、メイン移動機構３０のメインスライドプレート３１を停止させた状態で、第１のサブ移動機構５０ａのスライドプレート５０ａを前進させ、第２のサブ移動機構５０ｂのスライドプレート５１ｂを後退させるように駆動モータ５７ａ、５７ｂを駆動させる（駆動モータ３７は停止状態）。すると、前述した場合とは逆に、表示パネルユニット１０の第１の軸体６０ａのボール体６３ａがピボット結合したガイド部材１１ａの固定された側の端部が前方に押し出されると共に、表示パネルユニット１０の第２の軸体６０ｂのボール体６３ｂがピボット結合したガイド部材１１ｂの固定された側の端部が後方に引かれる。これにより、図５（ｂ）に示すように、表示パネルユニット１０の表示画面が利用者から見て左（Ｌ）側に向くようにパネル支持ブラケット２０が縦支持軸４０（Ａｚ）を中心にして時計方向に回動する（右パン動作）。
【００４０】
更に、パン・チルト操作キー２２０に下チルトキー２２３が操作されると、制御回路２００は、下チルトキー２２３からの制御信号に基づいて、メイン移動機構３０のメインスライドプレート３１を後退させると共に、第１のサブ移動機構５０ａ及び第２のサブ移動機構５０ｂのスライドプレート５１ａ、５１ｂを同時的に前進させるように駆動モータ３７、５７ａ、５７ｂを駆動させる。すると、表示パネルユニット１０の下端部を回動自在（回動軸Ａｙ：横支持軸１２ａ、１２ｂに対応）に支持したパネル支持ブラケット２０が後方に引かれると共に、表示パネルユニット１０の両側端部に固定されたガイド部材１１ａ、１１ｂに摺動自在にピボット結合する第１の軸体６０ａのボール体６３ａ及び第２の軸体６０ｂのボール体６３ｂが前進する。これにより、図６（ａ）に示すように、表示パネルユニット１０の下端部が後退しつつその表示面が下方を向くように表示パネルユニット１０が横支持軸１２ａ、１２ｂ（軸Ａｙ）を中心にして回動する（下チルト動作）。
【００４１】
一方、上チルトキー２２１が操作されると、制御回路２００は、上チルトキー２２１からの制御信号に基づいて、メイン移動機構３０のメインスライドプレート３１を前進させると共に、第１のサブ移動機構５０ａ及び第２のサブ移動機構５０ｂのスライドプレート５１ａ、５１ｂを同時的に後退させるように駆動モータ３７、５７ａ、５７ｂを駆動させる。すると、表示パネルユニット１０の課端部を回動自在に支持したパネル支持ブラケット２０が前方に押し出されると共に、表示パネルユニット１０の両側端部に固定されたが移動部材１１ａ、１１ｂに摺動自在にピボット結合する第１の軸体６０ａのボール体６３ａ及び第２の軸体６０ｂのボール体６３ｂが後退する。これにより、図７に示すように、表示パネルユニット１０の下端部が前進しつつその表示面が上方を向くように表示パネルユニット１０が横支持軸１２ａ、１２ｂ（軸Ａｙ）を中心にして回動する（上チルト動作）。
【００４２】
パネル支持ブラケット２０の回動による表示パネルユニット１０のパン動作によって表示パネルユニット１０の横支持軸１２ａ、１２ｂの方向（Ａｙ）が種々変わっても（図１におけるＡｙ１、Ａｙ２等）、前述した表示パネルユニット１０のチルト動作は可能であり、また、パネル支持ブラケット２０に支持された表示パネルユニット１０の前後方向の傾き（チルト角）が種々変わっても、前述したパネル支持ブラケット２０の回動による表示パネルユニットのパン動作は可能である。従って、例えば、機器本体１００の前方に位置する表示パネルユニット１０を図８（ａ）に示すように、その表示面が利用者から見て上方かつ左側に向くように動作（上チルト動作＋右パン動作）させることも、図８（ｂ）に示すように、その表示面が利用者から見て下方かつ右側に向くように動作（下チルト動作＋左パン動作）させることも可能である。
【００４３】
前述したような表示パネル装置では、表示パネルユニット１０がその下端部の横支持軸１２ａ、１２ｂに対して回動自在にパネル支持ブラケット２０に支持され、そのパネル支持ブラケット２０が、更に、その横支持軸１２ａ、１２ｂの方向（Ａｙ）と前後方向（Ａｘ）との双方に直交する方向Ａｚに対して回動自在にメインスライドプレート３１に支持されているので、表示パネルユニット１０の姿勢の変化を許容しつつそのより安定した支持が可能となる。また、メイン移動機構３０によるパネル支持ブラケット２０の前後移動、表示パネルユニット１０の両側端部に設けられたガイド部材１１ａ、１１ｂに摺動可能にピボット結合する第１の軸体６０ａ及び第２の軸体６０ｂの前後移動を個別的に制御することができるので、表示パネルユニット１０をより多くの姿勢にさせることができるようになる。
【００４４】
表示パネルユニット１０をより多くの姿勢にさせることができることから、機器本体１００の設置位置の自由度を大きくすることができ、機器本体１００の配置設計がより容易になる。特に、表示パネルユニット１０の下チルト動作（図６参照）が可能となるので、例えば、図９に示すように、車両のインストルメントパネル表面のＰＬ部の比較的傾斜の緩やかな部分に機器本体１００を装着したとしても、表示パネルユニット１０を下チルト動作させることにより、表示パネルユニット１０の表示画面を乗員にとってより見易い方向に向かせることが可能となる。
【００４５】
なお、前述した例では、表示パネルユニット１０がその下端部にて回動自在に支持されるものであったが、表示パネルユニット１０の側端部、あるいは、上端部にて回動自在に支持することもできる。例えば、表示パネルユニット１０がその上端部にて回動自在にパネル支持ブラケット２０にて支持される場合、メイン移動機構３０、第１のサブ移動機構５０ａ及び第２のサブ移動機構５０ｂを機器本体１００の天板内面に設けることができる。また、例えば、表示パネルユニット１０がその側端部にて回動自在にパネル支持ブラケット２０にて支持される場合、メイン移動機構３０、第１のサブ移動機構５０ａ及び第２のサブ移動機構５０ｂを機器本体１００の側板内面に設けることができる。
【産業上の利用可能性】
【００４６】
以上、説明したように、本発明に係るパネル装置は、表示パネルユニットのより安定的な支持が可能となると共に表示パネルユニットをより多くの姿勢にさせることができるようになるという効果を有し、車載オーディオ装置や車載ナビゲーション装置等に用いられる表示パネル装置として有用である。
【図面の簡単な説明】
【００４７】
【図１】本発明の実施の一形態に係る表示パネル装置の構造を示す分解斜視図である。
【図２】スライド部材を示す斜視図（ａ）、ガイド部材に第１の軸体及び第２の軸体のいずれかが結合した状態を示す平面図（ｂ）及びその断面図（ｃ）である。
【図３】機器本体と表示パネル装置との構造上の相対関係を示す図である。
【図４】表示パネル装置の駆動制御回路の構成例を示すブロック図である。
【図５】表示パネルユニットの各パン動作後の状態（ａ）、（ｂ）を示す図である。
【図６】表示パネルユニットの下チルト動作後の状態を示す図である。
【図７】表示パネルユニットの上方チルト動作後の状態を示す図である。
【図８】表示パネルユニットの上チルト及びパンの複合動作後の状態（ａ）と下チルト及びパンの複合動作後の状態（ｂ）とを示す図である。
【図９】表示パネル装置の車両インストルメントパネルへの設置例を概略的に示す図である。
【符号の説明】
【００４８】
１０  表示パネルユニット
１０ａ  カバー部
１１ａ、１１ｂ  ガイド部材
１１０  ピボット受け溝
１１１  開放スリット部
１２ａ、１２ｂ  横支持軸
２０  パネル支持ブラケット（パネル支持部材）
２１  本体プレート部
２２  中央孔
２３ａ、２３ｂ  支持プレート部
２４ａ、２４ｂ  孔
２５  ワッシャ
２６  止めネジ
２７ａ、２７ｂ  取り付けネジ
３０  メイン移動機構
３１  メインスライドプレート（メインスライド部材）
３２  支持プレート
３３  ガイドスリット
３４  ラックギア
３５、３６  ガイドピン
３７  駆動モータ
３８  ギア
３９  ウォームギア
４０  縦支持軸
５０ａ  第１のサブ移動機構
５０ｂ  第２のサブ移動機構
５１ａ、５１ｂ  スライドプレート（サブスライド部材）
５２ａ、５２ｂ  ブラケット部
５３ａ、５３ｂ  ガイドスリット
５４ａ、５４ｂ  ラックギア
５５ａ、５５ｂ、５６ａ、５６ｂ  ガイドピン
５７ａ、５７ｂ  駆動モータ
５８ａ、５８ｂ  ギア
５９ａ、５９ｂ  ウォームギア
６０ａ  第１の軸体
６０ｂ  第２の軸体
６１ａ、６１ｂ  取付けプレート
６２ａ、６２ｂ  軸部
６３ａ、６３ｂ  ボール体
１００  機器本体
２００  制御回路
２１０  前後操作キー
２１１  前移動キー
２１２  後移動キー
２２０  パン・チルト操作キー
２２１  上チルトキー
２２２  右パンキー
２２３  下チルトキー
２２４  左パンキー
【図１】
2007261393.tif 000003
【図２】
2007261393.tif 000004
【図３】
2007261393.tif 000005
【図４】
2007261393.tif 000006
【図５】
2007261393.tif 000007
【図６】
2007261393.tif 000008
【図７】
2007261393.tif 000009
【図８】
2007261393.tif 000010
【図９】
2007261393.tif 000011